(57)【要約】【解決手段】一つのデバイスから少なくとももう一つのデバイスへのデータの非無線送信又は受信を可能とする方法及び装置が開示される。特に、一つの実施例では、第一のデバイスのジャックが、デジタルデータを用いて符号化された第二のデバイスからの到来アナログ信号を受信し、デジタルデータを用いて符号化された第二のデバイスへの発信アナログ信号を送信するように構成されている。第一のデバイスはまた、デジタルデータを発信アナログ信号へ符号化するように構成された第一の変換ユニットと、到来アナログ信号からデジタルデータを復元するように構成された第二の変換ユニットとを備えている。【選択図】      図１
2007507178.tif 000002
【特許請求の範囲】
【請求項１】
第一のデバイスにおいて、第二のデバイスからのデジタルデータを受信するために使用される装置であって、
前記デジタルデータを用いて符号化されたアナログ信号を受信するように構成されたジャックと、
前記ジャックに接続され、前記アナログ信号から前記デジタルデータを復元するように構成された変換ユニットとを備えた装置。
【請求項２】
請求項１に記載の装置において、
前記ジャックと接続するように構成された非無線通信デバイスを更に備え、
前記非無線通信デバイスは、前記デジタルデータを用いて符号化された前記アナログ信号を、前記ジャックを用いて、前記第一のデバイスへ搬送するように構成された装置。
【請求項３】
請求項２に記載の装置において、前記非無線通信デバイスは、
第一の端部と第二の端部とを有する非無線媒体と、
前記第一の端部に接続され、前記ジャックに接続するように構成された第一のプラグと、
前記第二の端部に接続され、前記第二のデバイスのジャックに接続するように構成された第二のプラグとを備えた装置。
【請求項４】
請求項１に記載の装置において、前記ジャックは、ヘッドフォン又はヘッドセットのうちの何れか一つに接続するように構成された装置。
【請求項５】
請求項４に記載の装置において、前記ジャックは、知覚可能な音を受信するように構成された装置。
【請求項６】
第一のデバイスにおいて、第二のデバイスからのデジタルデータを受信するために使用される方法であって、
前記デジタルデータを用いて符号化されたアナログ信号をジャックを用いて受信することと、
前記アナログ信号から前記デジタルデータを復元することとを含む方法。
【請求項７】
請求項６に記載の方法において、
非無線通信デバイスを前記ジャックと接続することと、
前記非無線通信デバイスを通じて前記アナログ信号を受信することとを更に含む方法。
【請求項８】
請求項７に記載の方法において、前記アナログ信号を受信することは、
前記アナログ信号を可聴アナログ信号として受信することを含む方法。
【請求項９】
請求項７に記載の方法において、前記アナログ信号を受信することは、
前記アナログ信号を電子的に受信することを含む方法。
【請求項１０】
請求項６に記載の方法において、
前記ジャックを用いて、知覚可能な音を受信することを更に含む方法。
【請求項１１】
第一のデバイスにおいて、デジタルデータを第二のデバイスへ送信するために使用される装置であって、
前記デジタルデータをアナログ信号に符号化するように構成された変換ユニットと、
前記変換ユニットに接続され、前記デジタルデータを用いて符号化された前記アナログ信号を送信するように構成されたジャックとを備えた装置。
【請求項１２】
請求項１１に記載の装置において、
前記ジャックに接続するように構成された非無線通信デバイスを更に備え、
前記非無線通信デバイスは、デジタルデータを用いて符号化された前記アナログ信号を、前記ジャックを用いて前記第一のデバイスから搬送するように構成された装置。
【請求項１３】
請求項１２に記載の装置において、前記非無線通信デバイスは、
第一の端部と第二の端部とを有する非無線媒体と、
前記第一の端部に接続され、前記ジャックに接続するように構成された第一のプラグと、
前記第二の端部に接続され、前記第二のデバイスのジャックに接続するように構成された第二のプラグとを備えた装置。
【請求項１４】
請求項１１に記載の装置において、前記ジャックは、ヘッドフォン又はヘッドセットのうちの何れか一つに接続するように構成された装置。
【請求項１５】
請求項１４に記載の装置において、前記ジャックは、知覚可能な音を出力するように構成された装置。
【請求項１６】
第一のデバイスにおいて、デジタルデータを第二のデバイスへ送信するために使用される方法であって、
前記デジタルデータをアナログ信号に符号化することと、
デジタルデータを用いて符号化された前記アナログ信号をジャックを用いて送信することとを含む方法。
【請求項１７】
請求項１６に記載の方法において、
非無線通信デバイスを前記ジャックに接続することと、
前記アナログ信号を前記非無線通信デバイスを通じて送信することとを更に含む方法。
【請求項１８】
請求項１７に記載の方法において、前記アナログ信号を送信することは、
前記アナログ信号を可聴アナログ信号として送信することを含む方法。
【請求項１９】
請求項１７に記載の方法において、前記アナログ信号を送信することは、
前記アナログ信号を電子的に送信することを含む方法。
【請求項２０】
請求項１６に記載の方法において、
知覚可能な音を、前記ジャックを用いて出力することを更に含む方法。
【請求項２１】
第一のデバイスにおいて、第二のデバイスからのデジタルデータを受信するために使用される装置であって、
前記デジタルデータを用いて符号化されたアナログ信号を、ジャックを通じて受信する手段と、
前記アナログ信号から前記デジタルデータを復元する手段とを備えた装置。
【請求項２２】
請求項２１に記載の装置において、
デジタルデータを用いて符号化された前記アナログ信号を、前記ジャックを用いて前記第一のデバイスへ搬送する非無線手段を更に備えた装置。
【請求項２３】
第一のデバイスにおいて、デジタルデータを第二のデバイスへ送信するために使用される装置であって、
デジタルデータをアナログ信号に符号化する手段と、
デジタルデータを用いて符号化された前記アナログ信号を、ジャックを通じて送信する手段とを備えた装置。
【請求項２４】
請求項２３に記載の装置において、
デジタルデータを用いて符号化された前記アナログ信号を、前記ジャックを用いて、前記第一のデバイスから前記第二のデバイスへ搬送する非無線手段を更に備えた装置。
【請求項２５】
第一のデバイスにおいて、デジタルデータを第二のデバイスと通信するために使用される装置であって、
デジタルデータを用いて符号化された前記第二のデバイスからの到来アナログ信号を受信する手段と、
デジタルデータを用いて符号化された発信アナログ信号を、前記第二のデバイスへ送信する手段と、
デジタルデータを前記発信アナログ信号に符号化する手段と、
前記到来アナログ信号からデジタルデータを復元する手段とを備えた装置。
【請求項２６】
第一のデバイスから第二のデバイスとデジタルデータを通信する方法であって、
デジタルデータを用いて符号化された到来アナログ信号を、ジャックを用いて受信することと、
デジタルデータを用いて符号化された発信アナログ信号を、前記ジャックを用いて送信することと、
前記到来アナログ信号からデジタルデータを復元することと、
デジタルデータを、前記発信アナログ信号へ符号化することとを含む方法。
【請求項２７】
通信を可能にするために、第一のジャックを有する第一のデバイスを、第二のジャックを有する少なくとも一つの第二のジャックと接続する装置であって、
第一の端部と第二の端部とを有する非無線媒体と、
前記第一の端部に接続され、前記第一のジャックに接続するように構成された第一のプラグと、
前記第二の端部に接続され、前記第二のデバイスのジャックに接続するように構成された第二のプラグとを備えた装置。
【請求項２８】
請求項２７に記載の装置において、前記非無線媒体は、アナログ信号を、可聴アナログ信号として搬送するように構成されたコードを備えた装置。
【請求項２９】
請求項２７に記載の装置において、前記非無線媒体は、アナログ信号を電子的に搬送するように構成されたコードを備えた装置。
【発明の詳細な説明】
【技術分野】
【０００１】
本発明は、一般に、データ通信に関し、特に、一つのデバイスから別のデバイスへの音を用いたデジタルデータの非無線通信に関する。
【背景技術】
【０００２】
通信技術の進歩は、情報を共有及び／又は転送することをより容易にかつ高速にした。大量のデータを、例えば、地上通信システム又は衛星通信システム、及び／又はローカル又は広域エリアネットワーク（例えばインターネット）のようなデータ送信システムを通じて通信することができる。これらシステムは、一般に、複雑なハードウェア及び／又はソフトウェアを必要とし、かつ一般に、高いデータレート、及び／又は長距離の送信範囲のために設計されている。例えば、２つのモバイル電話間のように近接近又は短距離におけるデータ伝送のために、上述したシステムは、複雑さ、ネットワーク又はシステムアクセス遅延、使用上の不便さ、及び／又はコストから望ましくないかもしれない。
【０００３】
更に、例えばモバイル電話のようなポータブルデバイスの機能は、成長し続けている。この機能増加は、一つのポータブルデバイスから別のポータブルデバイスへより容易に情報を通信するためのニーズを生み出した。例えば、一つのモバイル電話から別のモバイル電話へとアドレス帳、音楽、画像及び／又はその他のデータの内容を共有する要望がある。更に、複数のプレーヤによるゲームの人口が増えてきており、一つ又は複数のポータブルデバイスの中から情報をより迅速かつ確実に通信することが望ましい。
【０００４】
従って、情報の共有及び／又は伝送するための、さほど複雑ではなく、ユーザフレンドリで、廉価で、及び／又は効率的な方法に対するニーズがある。
【特許文献１】米国特許出願１０／３５６，１４４号
【特許文献２】米国特許出願１０／３５６，４２５号
【発明の開示】
【０００５】
開示される実施例によれば、デバイスへの外部インタフェースとしてジャックを用いて、デジタルデータが送信及び／又は受信されるようになる。一つの局面では、第一のデバイスにおいて、第二のデバイスからデジタルデータを受信するために使用される装置は、デジタルデータを用いて符号化されたアナログ信号を受信するように構成されたジャックと、ジャックに接続され、アナログ信号からデジタルデータを復元するように構成された変換ユニットとを備えている。別の局面では、第一のデバイスにおいて、第二のデバイスへデジタルデータを送信するために使用される装置は、デジタルデータをアナログ信号に符号化するように構成された変換ユニットと、変換ユニットに接続され、デジタルデータを用いて符号化されたアナログ信号を送信するように構成されたジャックとを備えている。
【０００６】
上述した両装置の何れか一方又は両方は更に、ジャックに接続するように構成された非無線通信デバイスを備えている。この非無線通信デバイスは、デジタルデータを用いて符号化されたアナログ信号を、ジャックを用いて第一のデバイスから搬送するように構成されている。この非無線通信デバイスは、第一の端部と第二の端部とを持つ非無線媒体と、前記第一の端部に接続され、ジャックに接続するように構成された第一のプラグと、前記第二の端部に接続され、前記第二のデバイスのジャックに接続するように構成された第二のプラグとを備えている。また、ジャックは、ヘッドフォン又はヘッドセットのうちの何れか一方に接続するように構成されうる。更に、ジャックは、知覚可能な音を出力するように構成されうる。
【０００７】
更に別の局面では、第一のデバイスにおいて、第二のデバイスからデジタルデータを受信するために使用される方法は、デジタルデータを用いて符号化されたアナログ信号を、ジャックを用いて受信することと、このアナログ信号からデジタルデータを復元することとを含んでいる。更にまた別の局面では、第一のデバイスにおいて、第二のデバイスへデジタルデータを送信するために使用される方法は、デジタルデータをアナログ信号に符号化することと、デジタルデータを用いて符号化されたアナログ信号を、ジャックを用いて送信することとを含んでいる。
【０００８】
上述した両方法の何れか一方又は両方は更に、非無線通信デバイスをジャックに接続することと、アナログ信号を、非無線通信デバイスを通じてそれぞれ受信又は送信することとを含んでいる。ここでは、アナログ信号を受信することは、アナログ信号を可聴アナログ信号として受信すること、又はアナログ信号を電子的に受信することとを含んでいる。
【０００９】
更なる局面では、第一のデバイスにおいて、第二のデバイスからデジタルデータを受信するために使用される装置は、デジタルデータを用いて符号化されたアナログ信号をジャックを通じて受信する手段と、アナログ信号からデジタルデータを復元する手段とを備えている。第一のデバイスにおいて、第二のデバイスへデジタルデータを送信するために使用される装置は、デジタルデータをアナログ信号に符号化する手段と、デジタルデータを用いて符号化されたアナログ信号をジャックを通じて送信する手段とを備えている。
【００１０】
更なる局面では、第一のデバイスにおいて、第二のデバイスとデジタルデータを通信するために使用される装置は、デジタルデータを用いて符号化された第二のデバイスからの到来アナログ信号を受信する手段と、デジタルデータを用いて符号化された第二のデバイスへの発信アナログ信号を送信する手段と、デジタルデータを、発信アナログ信号に符号化する手段と、到来アナログ信号からデジタルデータを復元する手段とを備えている。第一のデバイスから第二のデバイスへデジタルデータを通信する方法は、デジタルデータを用いて符号化された到来アナログ信号をジャックを用いて受信することと、デジタルデータを用いて符号化された発信アナログ信号をジャックを用いて送信することと、到来アナログ信号からデジタルデータを復元することと、デジタルデータを発信アナログ信号に符号化することとを含む。
【００１１】
更に別の局面では、通信を可能とするために、第一のジャックを持つ第一のデバイスを、第二のジャックを持つ少なくとも一つの第二のデバイスに接続する装置は、第一の端部と第二の端部とを持つ非無線媒体と、第一の端部に接続され、第一のジャックに接続されるように構成された第一のプラグと、第二の端部に接続され、第二のジャックに接続されるように構成された第二のプラグとを備えている。
【発明を実施するための最良の形態】
【００１２】
同一の参照番号が同一の要素を参照している添付図面を参照して種々の実施例が詳細に説明される。
【００１３】
多くのデバイス及び／又はコンピュータは、知覚可能な音の受信及び／又は出力のために、ビルトインされたヘッドセットジャック又はその他様々なジャックのうちの何れかを有している。すなわち、あるデバイスでは、これらジャックによって、ユーザは、公衆に迷惑をかけずに音楽を聴いたり、音声会話することが可能となる。モバイル電話では、ジャックによって、ユーザは、ハンズフリーで会話したり、秘密で会話することが可能となる。現在のジャックは、デジタルデータの送信のためには使用されていない。以下の説明では、実施例は、ジャックを用いて、一つのデバイスから少なくとももう一つのデバイスへのデジタルデータの非無線転送を可能にする。
【００１４】
ここで記述される用語「コード（ｃｏｒｄ）」は、アナログ信号を転送する非無線媒体を称する。限定される訳ではないが、非無線媒体の例は、一つ又は複数のワイヤライン、チューブ、ツイストワイヤ、ケーブル、同軸ケーブル、又は光ファイバケーブルを含む。用語「ジャック」は、限定される訳ではないが、ソケット、ユニバーサルシリアルバス（ＵＳＢ）通信（ＣＯＭ）ポート、及びシリアルＣＯＭポートのようなハードウェアレセプタクルを称する。用語「プラグ」は、限定される訳ではないが、ピン、及びＭｉｎｉ−ＤＩＮプラグのように、ジャックに納まる様々なコネクタを称する。用語「音波」は、気体、液体、又は固体を通じて移動する振動、圧力波、あるいは音響波を称する。音波は、超音波、オーディオ波、及び超低周波を含む。用語「オーディオ波」は、約２０Ｈｚから２０ｋＨｚである可聴スペクトル内にある音波周波数を称する。用語「超音波」は、可聴スペクトルよりも高い音波周波数を称し、用語「超低周波」は、可聴スペクトルよりも低い音波周波数を称する。用語「記憶媒体」は、データを格納するための一つ又は複数のデバイスを表し、読取専用メモリ（ＲＯＭ）、ランダムアクセスメモリ（ＲＡＭ）、磁気ディスク記憶媒体、光記憶媒体、フラッシュメモリデバイス、及び／又は情報を格納するためのその他の機械読取可能媒体を含む。用語「機械読取可能媒体」は、限定される訳ではないが、ポータブル又は固定式の記憶装置、光記憶装置、無線チャネル、及び符号及び／又はデータを格納、包含、又は搬送することが可能なその他様々なデバイスを含む。
【００１５】
また、本データ通信システムの様々な局面、特徴、及び実施例は、フローチャート、フロー図、構造図、又はブロック図として示すことが可能なプロセスとして記載されうる。フローチャートは、シーケンシャルなプロセスとして動作を示しているが、動作の多くは、並行して、又は同時に実行することが可能である。更に、動作の順番を再構成することができる。プロセスは、動作が完了したときに終了する。プロセスは、方法、機能、手順、ソフトウェア、サブルーチン、サブプログラム、又はこれらの組み合わせに一致しているかもしれない。
【００１６】
更に、実施例は、説明目的のために、モバイル電話に関連して説明される。しかしながら、本発明の概念はモバイル電話に限定されるものではなく、ジャックを用いて実現されるその他様々なデバイスに適応可能であることが留意されるべきである。その他のデバイスの例は、限定される訳ではないが、パーソナルデジタルアシスタンツ（ＰＤＡ）、デジタルカメラ、スマート電話、ラップトップコンピュータ、デスクトップコンピュータ、玩具、電子ゲームデバイス、及び様々な電子機器を含む。従って、ジャックを用いたデジタルデータ通信は、ポータブルデバイスからポータブルデバイス、ポータブルデバイスから非ポータブルデバイス、非ポータブルデバイスからポータブルデバイス、非ポータブルデバイスから非ポータブルデバイスでありうる。
【００１７】
図１は、モバイル電話１００Ａ，１００Ｂの例を示す。モバイル電話１００Ａ，１００Ｂは、後述するように、従来のハンズフリーデバイス（ＨＦＤ）と接続するように構成されたジャック１１０を備えている。モバイル電話１００Ａ，１００Ｂはまた、キーバッド１２０又はその他様々な入力要素、液晶ディスプレイ１３０又はその他様々な表示要素、マイクロフォン１４０又はその他様々なオーディオ入力要素、スピーカ１５０又はその他様々なオーディオ出力要素、及びアンテナ１６０のようなその他の要素を備えている。
【００１８】
図１は、コード２４０上にプラグ２１０、オーディオ入力要素２２０、及びオーディオ出力要素２３０を含む典型的なＨＦＤ２００を示している。プラグ２１０は、ユーザが、例えば、コード２４０によって搬送される音楽、及び／又は音声のような知覚可能な音を、オーディオ出力要素２３０を通じて聞くことができるように、ジャック１１０に接続するように構成されている。プラグ２１０がジャック１１０に接続された時、ＨＦＤ２００は、ユーザが、オーディオ入力要素２２０を通じて話し、オーディオ出力要素２３０を通じて聞くことによってハンズフリーで会話することを可能にする。
【００１９】
ＨＦＤ２００は、ヘッドセット、ヘッドフォン、又はユーザの耳又は頭の上、下、あるいは周りにオーディオ入力要素とオーディオ出力要素とを保持するためのその他のアタッチメントからなる様々な種類のうちの一つかもしれない。そのようなデバイスは、ユーザが、電話をハンズフリーで操作することを可能にする一般に、廉価なアクセサリである。ハンズフリーデバイスはまた、ユーザに、近くの他人の邪魔をすることなく電話を操作するためのプライバシ及び／又は自由の手段を提供する。従って、モバイル電話は、全てとはいえないにしてもほとんどの場合、ユーザが、ハンズフリーデバイスを使用することを可能にするためにジャックを用いて実施される。
【００２０】
従って、図１に示すような非無線通信デバイス３００が提供され、ユーザは、一つのデバイスから、別のデバイスへとデジタルデータを、ジャックを用いて送信及び／又は受信することが可能となる。非無線通信デバイス３００は、第一の端部と第二の端部とを持つ非無線媒体３１０を備えている。第一のプラグ３２０は、第一の端部に接続され、モバイル電話１００Ａのジャック１１０に接続されるように構成される。第二のプラグ３３０は、第二の端部に接続され、モバイル電話１００Ｂのジャック１１０に接続されるように構成される。
【００２１】
非無線媒体３１０は、アナログ信号を可聴アナログ信号として搬送するように構成されたコードでありうる。あるいは、アナログ信号を電子的に搬送するように構成されたコードかもしれない。非無線媒体は、アナログ信号のための導波管として使用される。更に、非無線媒体は、アナログ信号を電気信号として第一のプラグ３２０から第二のプラグ３３０へ搬送することが可能な伝導材料からなるかもしれない。そのような場合、プラグ３２０，３３０は、プラグ２１０と同一、又は実質的に同一な構造、配置、及び／又は動作を持つように構成されうる。その他の非無線媒体は、アナログ信号をオーディオ波、すなわち可聴音として第一のプラグ３２０から第二のプラグ３３０へと搬送するための音絶縁されたホロー材料からなるかもしれない。そのような場合、プラグ３２０，３３０は、プラグ２１０と同一、又は実質的に同一な構造を持つが、別の方法で動作することが可能なように構成される。すなわち、プラグ３２０，３３０は、例えば、ダイヤフラムや、当該技術分野で知られているその他のデバイスを用いることによって電子信号を音に、及び音を電気信号に変換するように構成される。従って、プラグ３２０，３３０は、ジャック１１０の中に納まり、プラグ３２０，３３０のために別々のジャックが実装される必要はない。しかしながら、本発明は、プラグ２１０と、プラグ３２０，３３０との両方のために単一のジャックを持つものに限定されるものではないことが当該技術分野における熟練者に明らかになるであろう。
【００２２】
デジタルデータ送受信の場合、非無線通信デバイス３００は、プラグ３２０，３３０を、デバイスのジャックに接続することによって、例えばモバイル電話１００Ａ，１００Ｂのような二つ又はそれ以上のデバイスを接続する。デジタルデータは、例えばモバイル電話１００Ａのような第一のデバイスから、ジャックを通じて送信され、プラグ３２０によって受信され、非無線通信デバイス３００によって、例えばモバイル電話１００Ｂのような第二のデバイスへ搬送される。そして、第二のデバイスは、プラグ３３０及びジャックを通じて非無線通信デバイス３００からデジタルデータを受信する。特に、ジャック及び非無線通信デバイス３００を用いてデジタルデータを送受信するために、第一のデバイスは、デジタルデータをアナログ信号に符号化し、第二のデバイスは、受信したアナログ信号からデジタルデータを復元する。
【００２３】
図２は、ジャックを用いて通信することが可能なデバイス４００の概要ブロック図を示す。デバイス４００は、インタフェース４１０、変換ユニット４２０、記憶媒体４３０、及びプロセッサ４５０を備えている。より典型的な市販用デバイス４００は、デバイスのタイプ、又はデバイスが機能することが可能な様々なモードに基づいて更なる構成要素を備えうる。例えば、モバイル電話として、デバイス４００は、電話要素４４０をも備えうる。パーソナルデジタルアシスタント（ＰＤＡ）として、デバイス４００は、電話要素４４０ではなくＰＤＡ要素を備え、スマート電話として、デバイス４００は、電話及びＰＤＡの両方の要素４４０を備えうる。また、デバイス４００の各要素は、デバイス４００の動作に影響を与えることなく再構築することが可能であることが言及されるべきである。
【００２４】
特に、インタフェース４１０は、上述したように、ユーザがハンズフリーで聞いたり、会話したりできるように、ＨＦＤと接続するように構成されたジャック４１５を備えている。また、ジャック４１５は、上述した非無線通信デバイス３００のような非無線通信デバイスに接続することもできる。変換ユニット４２０は、デジタルデータをアナログ信号に符号化するように構成された第一の変換ユニット４２２と、アナログ信号からデジタルデータを復元するように構成された第二の変換ユニット４２４とを備えている。第一の変換ユニット４２２と、第二の変換ユニット４２４とは、変換ユニット４２０内の別個の要素として示されているが、第一の変換ユニット４２２及び第二の変換ユニット４２４は、一つのユニット内であわせて実装されうる。第一の変換ユニット４２２及び第二の変換ユニット４２４の動作の詳細を以下に述べる。
【００２５】
送信されるデジタルデータは、第一の変換ユニット４２２によってアナログ信号に符号化され、インタフェース４００によって、アナログ信号として、ジャック４１５を用いて送信される。ここでは、送信されるデジタルデータは、記憶媒体４３０内に格納される。デジタルデータは、限定される訳ではないが、個人情報；名前、電話番号、及び住所のようなコンタクト情報；ビジネス情報；カレンダ情報；メモ；ゲーム関連データ；ソフトウェア；又はこれらの組み合わせでありうる。デジタルデータを用いて符号化されたアナログ信号は、その後、非無線通信デバイスによって搬送され、デバイス４００に類似しており、ジャックを用いて通信することが可能な第二のデバイスによって受信される。
【００２６】
従って、この第二のデバイスは、デジタルデータを用いて符号化されたアナログ信号を、類似の方法でデバイス４００へも送信する。デジタルデータを用いて符号化されたアナログ信号が、デバイス４００に送信されたとき、このアナログ信号は、ジャック４１５を用いて、デバイス４００のインタフェース４１０によって受信される。そして、第二の変換ユニット４２４が、このアナログ信号からデジタルデータを復元する。同様に、デジタルデータを用いて符号化されたアナログ信号を、第二のデバイスが受信したとき、第二のデバイスは、デバイス４００に関して記述したような方法と類似の方法で、このアナログ信号からデジタルデータを復元する。
【００２７】
上記の記述において、デジタルのデータの符号化と復元とは、プロセッサ４５０によって制御されている。プロセッサ４５０は、また、ユーザが電話をかけたり、受けることを可能にするために、電話要素４４０の機能も制御する。従って、プロセッサ４５０は、電話モード、又はデータ通信モードのようなデバイス４００の様々なモードを制御できる。プロセッサ４５０は、中央処理装置（ＣＰＵ）、マイクロプロセッサ、デジタル信号プロセッサ（ＤＳＰ）、又はその他の様々なコントローラでありうる。プロセッサ４５０の配置は重要ではなく、要素４１０〜４４０の配置は、デバイス４００の性能及び／又は目的に影響を与えることなく再調整することも可能であることが、当該技術分野における熟練者には明らかになるであろう。同様に、インタフェース４１０、変換ユニット４２０、記憶媒体４３０、電話要素４４０、及びプロセッサ４５０のうちの一つ又は複数が、一つのユニット内に一緒に実装されうる。更に、変換ユニット４２０及び電話要素４４０の記憶及び／又は制御機能を分離するために、追加の記憶媒体及び／又はプロセッサが、実装されうる。
【００２８】
次に、データ通信モードの動作が説明される。電話要素４４０の動作は良く知られており、本発明を説明する目的として重要ではないので、電話モードの動作は、議論されないことを留意されたい。同様に、ＰＤＡ及び／又はスマート電話モードのようなその他のモードについても議論されない。
【００２９】
図３は、ジャックを用いてデータ通信を行うプロセス５００の一つの実施例を示す。プロセス５００は、デバイス４００のようなデバイスがデジタルデータ通信モードにあるか否かを判定することによって始まる（５１０）。ここでは、デバイスは、ユーザ入力に基づいて通信モードに入るか、あるいは、ジャックを用いた通信に選択される。この通信モードには、デバイスによって実行されている機能に基づいて自動的に入ることもできる。例えば、もしも複数プレーヤによるゲームがデバイス上で起動されたのであれば、通信モードに自動的に入る。また、この判定は、デバイス４００のためにプロセッサ４５０によってなされる。
【００３０】
デバイスが通信モードにあるのであれば、デジタルデータが送信されるべきか（５２０）、又は受信されるべきか（５３０）の判定がなされる。そのような判定もまた、デバイス４００のためのプロセッサ４５０によってなされる。デジタルデータが送信されるべきであれば、デジタルデータが発信アナログ信号に符号化され（５４０）、デジタルデータを用いて符号化された発信アナログ信号がジャックを用いて送信される（５５０）。デジタルデータが受信されるべきであれば、デジタルデータを用いて符号化された到来アナログ信号が受信され（５６０）、到来アナログ信号からデジタルデータが復元される（５７０）。ここでは、デジタルデータは、デバイス４００において、第一の変換ユニット４２２によって発信アナログ信号に符号化され、第二の変換ユニット４２４によって到来アナログ信号から復元される。その後、デバイスが未だに通信モードにあるか、すなわち、送信及び／又は受信されるべき更なるデジタルデータが存在するかの判定がなされる（５８０）。デバイスが通信モードにあるならば、プロセス５００は、データが送信されるべきかの判定（５２０）に戻る。さもなければ、プロセス５００は終了する。
【００３１】
上述したプロセス５００の記述において、デジタルデータが受信されるべきかの判定は、デジタルデータが送信されるべきかの判定の前になされうる。更に、アナログ信号を送信及び／又は受信する前に非無線通信デバイスがジャックに接続されているかが更に判定されうる。例えば、デバイス４００のようにあるデバイスでは、インタフェース４１０のようなインタフェースが、プラグがジャックに接続されているかを検出するように構成されたセンサで実施される。別の実施例では、デバイスから第二のデバイスへ制御信号が送信され、第二のデバイスが応答信号を返すと、非無線通信デバイスが接続されているかが判定される。
【００３２】
従って、デジタルデータがアナログ信号を用いて符号化され、第一のデバイスから少なくとも第二のデバイスへ送信される。デジタルデータは、その後、第二のデバイスによって、受信されたアナログ信号から復元される。デジタルデータは、様々な方法のうちの一つによって、アナログ信号に符号化され、アナログ信号から復元することが可能である。
【００３３】
一般に、デジタル−アナログ変換器（ＤＡＣ）は、周知の方法が用いられることによって、デジタルデータをアナログ信号に符号化する。そして、アナログ−デジタル変換器（ＡＤＣ）は、周知の方法が用いられることによって、アナログ信号からデジタル信号を復元する。ここでは、デジタルデータが、オーディオ波に変換される。オーディオ波は、標準的なジャックが、デジタルデータを用いて符号化されたアナログ信号を送信及び／又は受信するために使用することができるように、おおよそ１ｋＨｚから３ｋＨｚの範囲の周波数を持つ。従って、例えばデバイス４００では、第一の変換ユニット４２２が、デジタルデータを、ジャックを用いた符号化及び送信のために、オーディオ波信号に変換するＤＡＣを備えている。逆に言えば、第二の変換ユニット４２４は、デジタルデータの復元のために、ジャックを用いて受信したオーディオ波信号を、デジタルデータに変換するためにＡＤＣを備えている。
【００３４】
別の実施例では、デジタルデータをアナログ信号に符号化するためにマルチキャリア（ＭＣ）変調が使用され、アナログ信号からデジタルデータを復元するためにＭＣ復調が使用される。上述したように、標準的なジャックが、デジタルデータを用いて符号化されたアナログ信号を送信及び／又は受信するために使用できるように、おおよそ１ｋＨｚから３ｋＨｚの範囲の周波数を持つオーディオ波が使用される。マルチキャリアシステムは、"Wireless communication using sound"と題された同時係属中の米国特許出願１０／３５６，１４４号（特許文献１）と、"Communication using audible tones"と題された同時係属中の米国特許出願１０／３５６，４２５号（特許文献２）とに記載されている。これらは共に本出願と同じ譲受人に譲渡されている。
【００３５】
一般に、第一の変換ユニット４２２は、デジタルデータを、送信のために、複数の発信オーディオ波キャリアに符号化するように構成されたＭＣ変調ユニットを備えている。図４は、デジタルデータを、複数の発信音波キャリアに符号化する第一の変換ユニット６００の例を示す。第一の変換ユニット６００は、順方向誤り訂正（ＦＥＣ：forward error correction）要素６１０、インタリーバ６２０、デジタル変調器６４０、逆高速フーリエ変換（ＩＦＦＴ）要素６５０、及びアップコンバータ６６０を備えている。第一の変換ユニット６００は、同期プレアンブルを生成するように構成されたプレアンブル生成器（図示せず）をも備えている。同期プレアンブルは、受信デバイスが受信信号の周波数、時間、及び位相を同期する際に受信デバイスを助けるために送信される。ＦＥＣ要素６１０は、送信されるデジタルデータビットシーケンスを符号化するように構成されている。ＦＥＣ符号化されたビットは、その後、インタリーバ６２０によって符号シンボルにインタリーブされる。この符号シンボルは、デジタル変調器６４０によって複数のオーディオ波キャリアに変調され、ＩＦＦＴ要素６５０によって逆高速フーリエ変換され、ＭＣシンボルと呼ばれるアナログ信号が生成される。このＭＣシンボルは、その後、ジャック４１５を用いてインタフェース４１０を通じてオーディオ波として送信されるためにアップコンバータ６６０によってアップコンバートされる。
【００３６】
図５は、第一の変換ユニット６００に対応して、デジタルデータ情報を用いて符号化された複数のオーディオ波を処理する第二の変換ユニット７００の一つの実施例を示す。一般に、デジタルデータは、オーディオ波としてデータを送信するためのプロセスの逆のプロセスで、複数のオーディオ波から復元される。第二の変換ユニット７００は、複数の到来オーディオ波をアナログ信号からデジタル信号に変換するように構成されたアナログ−デジタル（Ａ／Ｄ）変換器７１０と、デジタル信号をダウンコンバートするように構成されたダウンコンバータ７２０と、到来データシーケンスの到着時間及び位相のキャリアに同期するように構成された同期ユニット７３０と、ＭＣシンボルを復元するように構成された高速フーリエ変換（ＦＦＴ）７４０と、ＭＣシンボルを復調するように構成された復調器７５０と、復調されたデータを逆インタリーブするように構成された逆インタリーバ７６０と、逆インタリーブされたデータを、周知の様々な技術のうちの一つを用いて復号し、デジタルデータを復元するように構成されたデコーダ７７０とを備えている。
【００３７】
従って、デジタルデータは、アナログ信号に符号化され、ジャックを用いて送信及び受信され、復元される。デバイスからデバイスへアナログ信号を搬送するために非無線通信デバイスを使うことによって、デジタルデータを通信するための便利で、かつ／又は効率的な方法が提供される。更に、ジャックを用いて送信及び／又は受信するためにデジタルデータをオーディオ波に符号化することによって、標準的又は従来のジャックを有する既存のデバイスに変換ユニットを実装することが、比較的簡単で廉価になるであろう。
【００３８】
更に、データの送信及び受信の両方を可能にするために実施例が記述されたが、あるデバイスは、送信のみのために実装され、あるデバイスは、受信のみのために実装されうる。例えば、第二の変換ユニット４２４は、データの送信のみを可能とするためにデバイス４００において省略されうる。同様に、第一の変換ユニット４２２は、データの受信のみを可能とするためにデバイス４００において省略されうる。更に、デジタルデータ通信は、片側通信、半二重通信、または二重通信であるかもしれない。
【００３９】
例えば、片側通信は、一つのデバイスのアドレス帳から、他のデバイスのアドレス帳へのコンタクト情報の転送に用いられるかもしれない。半二重通信は、デバイスの空ではないアドレス帳を同期させるために使用されうる。二重通信は、複数プレーヤによるゲーム中に、データを交換するために使用されうる。ここでは、例えばインターネットのようなネットワークへデバイスがアクセスしたのであれば、複数プレーヤによるゲームは、オンラインネットワークゲームであるかもしれない。このような場合、二重通信は、インタラクティブなゲームを可能とするためのデータ通信のために特に有益となろう。
【００４０】
最後に、デバイス４００の一つ又は複数の要素が、ハードウェア、ソフトウェア、ファームウェア、ミドルウェア、マイクロコード、又はこれらの任意の組み合わせによって実現されうる。ソフトウェア、ファームウェア、ミドルウェア、またはマイクロコードで実現された場合、必要なタスクを実行するためのプログラムコード又はコードセグメントは、例えば記憶媒体４３０のような機械読取可能媒体か、又は図示しない個別の記憶装置内に格納される。例えば、プロセッサ４５０のようなプロセッサが、必要なタスクを実行する。コードセグメントは、手順、機能、サブプログラム、プログラム、ルーチン、サブルーチン、モジュール、ソフトウェアパッケージ、クラス、又は命令の任意の組み合わせ、データ構造、又はプログラム文を表す。コードセグメントは、情報、データ、引数、パラメータ、又はメモリ内容を渡したり、あるいは受信することによって、別のコードセグメント又はハードウェア回路に接続することが可能である。情報、引数、パラメータ、データ等は、メモリ共有、メッセージ渡し、トークン渡し、ネットワーク送信等を含む任意の適切な手段によって渡され、転送され、送信される。
【００４１】
前述の実施例は、単なる一例であり、本発明を限定するように解釈されるものではないことが留意されるべきである。本発明の記述は、例示することを目的としており、特許請求の範囲を制限するものではない。よって、本教示は、他のタイプの装置及び多くの変形例に容易に適用でき、修正、及び変形が、当該技術分野における熟練者に明白であろう。
【図面の簡単な説明】
【００４２】
【図１】図１は、モバイル電話の例と、ハンズフリーデバイスの例と、デバイスを接続するための非無線通信デバイスの例とを示す。
【図２】図２は、ジャックを用いて通信することが可能なデバイスのブロック図の例を示す。
【図３】図３は、ジャックを用いたデジタルデータ通信のための処理の例を示す。
【図４】図４は、ジャックを用いて通信することが可能なデバイスの第一の変換ユニットの例を示す。
【図５】図５は、ジャックを用いて通信することが可能なデバイスの第二の変換ユニットの例を示す。
【図１】
2007507178.tif 000003
【図２】
2007507178.tif 000004
【図３】
2007507178.tif 000005
【図４】
2007507178.tif 000006
【図５】
2007507178.tif 000007
【国際調査報告】
2007507178.tif 000008